(57)【要約】【課題】分冊冊子の断裁量を調整し、分冊冊子を合冊した冊子の小口を揃えること。【解決手段】中綴じ処理等がなされた冊子の出力をユーザーが希望し、その冊子１部に含まれるシート枚数が中綴じ処理等の可能なシート枚数より多い場合、出力したい冊子１部を複数部に分冊して出力する。そして、分冊して出力する場合に各々の分冊冊子の断裁量を同一にする。【選択図】図７
2009179428.tif 000002
【特許請求の範囲】
【請求項１】
複数枚のシートから構成されるシート束に対して少なくとも中綴じ処理又は中折り処理の何れか一方を実行し、冊子を作製するシート処理部と、
当該シート処理部により中綴じ処理又は中折り処理されたシート束の小口を断裁する断裁部と、
当該断裁部の動作を制御する制御部と、を有し、
前記制御部は、所望の冊子１部を複数部に分冊して出力する場合に、複数部に分冊して出力される分冊冊子に対して同一の断裁量で断裁するべく、前記断裁部を制御することを特徴とする製本装置。
【請求項２】
前記制御部は、所望の冊子１部に含まれるシートの枚数が、前記シート処理部により冊子１部として処理可能なシートの枚数よりも多く、当該冊子１部を複数部に分冊して出力する場合に、複数部に分冊して出力される分冊冊子に対して同一の断裁量で断裁するべく、前記断裁部を制御する請求項１に記載の製本装置。
【請求項３】
前記制御部は、ユーザーによって特定の操作があった場合に、同一の断裁量で断裁する動作を解除するべく、前記断裁部を制御する請求項１又は２に記載の製本装置。
【請求項４】
前記制御部は、複数部に分冊して出力する動作を開始してから所定時間経過後に、同一の断裁量で断裁する動作を解除するべく、前記断裁部を制御する請求項１乃至３の何れか１項に記載の製本装置。
【請求項５】
請求項１乃至４の何れか１項に記載の製本装置と、
シートに画像を形成し、前記製本装置にシートを搬送する画像形成装置と、
を有することを特徴とする製本システム。
【発明の詳細な説明】
【技術分野】
【０００１】
本発明は、複数枚のシートに対して一定の処理を実行することにより冊子を作製する製本装置及び製本システムに関するものである。
【背景技術】
【０００２】
複写機やプリンタ等で画像を形成した複数枚のシートを集積してシート束とし、そのシート束に対して中綴じ処理や中折り処理を実行して冊子を作製する製本装置が知られている（特許文献１参照）。製本装置によって中綴じ処理等がなされた冊子が作製されることにより、綴じ処理や折り処理をユーザーが行う必要はなく、綴じ処理された会議用の資料等が自動的に出力されるため、利便性が良い。
【０００３】
また、中綴じ処理や中折り処理されて作製された冊子は、冊子を構成するシートの中央部を綴じたり、折ったりしただけのものであるため、冊子の小口は書籍のように綺麗に揃っていない。そこで、中綴じ処理等がなされた冊子の小口をカッター等で断裁し、冊子の小口を揃える技術も提案されている。
【特許文献１】特開平７−１５７１７８号公報
【発明の開示】
【発明が解決しようとする課題】
【０００４】
ところで、特許文献１でも記載されているように、製本装置における中綴じ処理や中折り処理は冊子１部として処理可能なシート枚数に制限があり、一定枚数以上のシート束に対しては中綴じ処理等を行って冊子を作製することが出来ない。
【０００５】
そこで、中綴じ処理等がなされた冊子の出力をユーザーが希望し、その冊子１部に含まれるシート枚数が中綴じ処理等の可能なシート枚数より多い場合、出力したい冊子１部を複数部に分冊して出力し、中綴じ処理等がなされた分冊冊子をユーザーがオフラインで合冊することにより希望する冊子１部を取得することが考えられる。一例をあげると、５０枚のシートを中綴じ処理した冊子の出力をユーザーが希望し、製本装置における中綴じ処理の能力が２０枚である場合に、中綴じ処理した１部２０枚の分冊冊子２部と、中綴じ処理した１部１０枚の分冊冊子１部を出力し、その３部の分冊冊子をユーザーが合冊することにより５０枚の冊子１部を取得するというようなものである。
【０００６】
しかし、複数部に分冊して出力する際に、各々の分冊冊子の小口を異なる断裁量で断裁してしまうと、合冊して冊子１部とする際に小口が不揃いとなってしまい、冊子の出来映えは好ましくない。
【０００７】
そこで、本発明の目的は、分冊冊子の断裁量を調整し、分冊冊子を合冊した冊子の小口を揃える製本装置及び製本システムを提供することにある。
【課題を解決するための手段】
【０００８】
上記目的を達成すべく、本発明に係る製本装置は、
複数枚のシートから構成されるシート束に対して少なくとも中綴じ処理又は中折り処理の何れか一方を実行し、冊子を作製するシート処理部と、
当該シート処理部により中綴じ処理又は中折り処理されたシート束の小口を断裁する断裁部と、
当該断裁部の動作を制御する制御部と、を有し、
前記制御部は、所望の冊子１部を複数部に分冊して出力する場合に、複数部に分冊して出力される分冊冊子に対して同一の断裁量で断裁するべく、前記断裁部を制御することを特徴とするものである。
【０００９】
また、本発明に係る製本システムは、
前記製本装置と、
シートに画像を形成し、前記製本装置にシートを搬送する画像形成装置と、
を有することを特徴とするものである。
【発明の効果】
【００１０】
本発明に係る製本装置及び製本システムによれば、分冊冊子の断裁量を調整し、分冊冊子を合冊した冊子の小口を揃えることが出来る。
【発明を実施するための最良の形態】
【００１１】
〈製本システムの概要〉図１は画像形成装置Ａ、自動原稿送り装置ＤＦ、製本装置Ｂ、大容量給紙装置ＬＴから構成される製本システムの全体構成図である。
【００１２】
図１に示す画像形成装置Ａは、画像読取部１、画像処理部２、画像書込部３、画像形成部４、給紙カセット５Ａ、５Ｂ、５Ｃ、手差し給紙トレイ５Ｄ、第１給紙部６Ａ、６Ｂ、６Ｃ、６Ｄ、第２給紙部６Ｆ、定着部７、排紙部８、自動両面コピー給紙部（ＡＤＵ）８Ｂを備えている。画像形成装置Ａの上部には自動原稿送り装置ＤＦが搭載されており、画像形成装置Ａの左側には製本装置Ｂが連結されている。
【００１３】
自動原稿送り装置ＤＦの原稿台上に載置された原稿ｄは矢印方向に搬送され、原稿ｄの片面又は両面の画像が画像読取部１におけるイメージセンサＣＣＤによって読み取られる。イメージセンサＣＣＤにより光電変換されたアナログ信号は、画像処理部２において、アナログ処理、Ａ／Ｄ変換、シェーディング補正、画像圧縮処理等を行った後、画像書込部３に送られる。画像書込部３においては、半導体レーザからの出力光が画像形成部４の感光体ドラム４Ａに照射され、感光体ドラム４Ａ上に静電潜像が形成される。
【００１４】
画像形成部４においては、帯電、露光、現像、転写、分離、クリーニング等の処理が行われる。給紙カセット５Ａ〜５Ｃ、手差し給紙トレイ５Ｄ、大容量給紙装置ＬＴ等から給送されたシートＳには、転写部４Ｂにより画像が転写される。画像が転写されたシートＳは、定着部７により定着され、排紙部８から製本装置Ｂへ送り込まれる。或いは搬送路切換板８Ａにより両面給紙部８Ｂに送り込まれたシートＳは、画像形成部４によって裏面側に画像が形成され、排紙部８から排出される。
【００１５】
〈製本装置の概要〉図２は製本装置Ｂの正面図、図３は製本装置Ｂの右側面図、図４は製本装置Ｂの左側面図、図５は製本装置Ｂの平面図である。また、図６は製本装置Ｂのシート搬送工程を示す模式図、図７は製本装置Ｂの中折り、中綴じ処理工程のシート搬送を示す斜視図である。
【００１６】
図２で示すように、画像形成装置Ａから排出され、製本装置Ｂの入口部２０１に導入されたシートＳは、入口ローラ２０２により挟持され、搬送路切換手段Ｇ５の上方の搬送路ｒ１又は下方の搬送路ｒ２の何れかに搬送される。
【００１７】
搬送路ｒ１に分岐されたシートＳは、搬送ローラ２０３〜２０７により挟持されて搬送され、搬送路切換手段Ｇ６の上方の搬送路ｒ３又は下方の搬送路ｒ４の何れかに搬送される。搬送路ｒ３に進行したシートＳは、排紙ローラ２０８によって排出され、製本装置Ｂの上部に配置されたサブ排紙トレイ２０９に積載される。一方、搬送路ｒ４に進行したシートＳは、搬送ローラ２１０〜２１３により挟持されて搬送され、排紙ローラ２１４によって排出される。
【００１８】
搬送路切換手段Ｇ５の下方の搬送路ｒ２に搬送されたシートＳは、ほぼ垂直に下降し、所定位置に一時停止して収納される。この停止位置において、後続の少数枚のシートＳが重ね合わせられて収容される（図２の実線、図３の破線）。収容されたシートＳは搬送ローラ２１５〜２１８と案内板（図示せず）によって図２の紙面に対して直角手前方向に偏向移動されて、製本装置Ｂの前面側Ｂｆ（図３参照）に回り込む搬送路ｒ５をシート面を直立させた状態で通過し、所定位置に一時停止する（図２の破線、図３の実線）。次に、シートＳは搬送ローラ２１９によって垂直上方に搬送された後、水平方向に偏向され、搬送ベルト２２０、搬送ローラ２２１（図３参照）によって製本装置Ｂの背面側に移動される（搬送路ｒ６）。
【００１９】
〈中折り処理〉図３で示すように、搬送ベルト２２０のシート搬送方向下流側には、折り処理部２３０が配置されている。折り処理部２３０は折りローラ２３１〜２３３、折り板２３４、２３５から構成されている。
【００２０】
折り処理部２３０に搬送された複数枚のシートＳは、互いに逆方向に回転する折りローラ２３１、２３２及び直進する折り板２３４によって挟持され、シートＳの中央部に折り目が形成される。その後、折りローラ２３１、２３２が逆回転し、折り目が形成されたシートＳは、折りローラ２３１、２３２から離間して元の水平搬送路に戻される。シートＳは、引き続き、搬送ベルト２３６（図２参照）によって、折り目の延長線方向の搬送路ｒ７（図２参照）に搬送され、中綴じ処理部２４０に送り込まれる。
【００２１】
このように、折り処理部２３０は、複数枚のシートＳを中折り処理して折り目を付け、逐次、中綴じ処理部２４０に送り込むことにより、折り目部の膨らみが少ない高品位の冊子を作製することが出来る。
【００２２】
〈三つ折り処理〉折り処理部２３０において、シートＳの先端部が折りローラ２３１、２３２の対向位置からシートＳ全長の三分の一の位置に停止した後、折りローラ２３１、２３２により第１折り処理が行われ、シートＳに第１の折り目が形成される。
【００２３】
シートＳの第１の折り目が折りローラ２３１、２３２の対向位置からシートＳ全長の三分の一の位置に停止した後、折りローラ２３２、２３３により第２折り処理が行われ、シートＳに第２の折り目が形成される。折り処理部２３０において、三つ折り処理されたシートＳは、複数の搬送ローラ２３７と案内板から成る搬送路ｒ８を通過し、排紙ローラ２３８によって排紙トレイ２３９に排出される。
【００２４】
〈中綴じ処理〉折り処理部２３０において中折り処理されたシートＳは、搬送ベルト及び図示しない案内手段によって搬送路ｒ７を進行し、図４で示すように中綴じ処理部２４０の鞍掛部材２４１上に載置される。後続の中折り処理されたシートＳも引き続き搬送路ｒ７を通過して鞍掛部材２４１上に積載される。鞍掛部材２４１の上方にほぼ直角な凸形状をなし、その頂部稜線上に中折り処理されたシートＳの折り目ａが載置される。鞍掛部材２４１上に載置された複数枚のシートＳは、幅整合部材２４２によって位置揃えされる。
【００２５】
鞍掛部材２４１の上方には、打針機構２４３が上下方向に移動可能に支持されている。鞍掛部材２４１の内部には、受針機構２４４が固定されている。打針機構２４２と受針機構２４３とから成る二分割構造の綴じ部は、シート折り目方向に２組配置されている。操作設定部等において、中綴じ処理が設定されると、打針機構２４３が下降して中綴じ処理を実行する。即ち、２組の綴じ部は鞍掛部材２４１上のシート束の折り目ａに沿って、中央振り分け２箇所に綴じ針ＳＰを打針する。
【００２６】
〈断裁処理〉図４に示すように中綴じ処理部２４０において中綴じ処理されたシート束は、揺動可能な案内部材２５１に支持されて鎖線方向に揺動されて搬送ベルト２５２上に載置される。搬送ベルト２５２の回動によりシート束は斜め下方に搬送され、更に、回動する搬送ベルト２５３により移送されて所定位置に停止される。
【００２７】
その後、搬送ベルト２５３は揺動して水平状態になる。この水平状態になった搬送ベルト２５３上に載置されたシート束の小口（折り目の反対側の自由端部）は、シート枚数によって不揃いになっているため、断裁部２５０により断裁され、小口が揃えられる。断裁部２５０による断裁量は、断裁しようとするシート束の枚数によって決定され、断裁部２５０に対するシート束の送り量を変化させることにより断裁量が調整される。
【００２８】
断裁処理されて作製された冊子は、逆回転する搬送ベルト２５３に載置され、搬送ベルト２５３に固定された排紙爪２５４により冊子の後端部が押圧された状態で搬送される。そして冊子は搬送ベルト２５３の先端部から矢示方向に落下する。落下した冊子は、回動する搬送ベルト２５５により製本装置Ｂの前面側Ｂｆの外方に配置された排紙トレイ２５６に排出される。また、別の機構として、搬送ベルト２５３の位置に製本装置本体から引き出し可能なスタッカを設け、ここに冊子をスタックするようにしてもよい。また、中綴じ処理されず、中折り処理のみされた冊子も排出トレイ２５６に排出されるようになっている。
【００２９】
以上説明したように製本装置Ｂでは、中綴じ処理、三つ折り処理、中折り処理が実行され、図６及び図７のような全体の工程を得て、中綴じ処理又は中折り処理された冊子ＳＡが排紙トレイ２５６に排出される。なお、本発明の実施形態において、冊子とは中綴じ処理されたシート束又は中折り処理されたシート束をいい、折り処理部２３０及び中綴じ処理部２４０がシート処理部として機能する。
【００３０】
〈製本システムのブロック図〉図８は製本システムにおける制御系のブロック図であり、ここでは代表的なものだけ示す。
【００３１】
画像形成装置Ａにはパソコン等の端末であるＰＣネットワークを経由して接続されている。ＣＰＵ（Ｃｅｎｔｒａｌ  Ｐｒｏｃｅｓｓｉｎｇ  Ｕｎｉｔ）１０１は画像形成装置Ａ全体の動作を制御するものであり、ＲＯＭ（Ｒｅａｄ  Ｏｎｌｙ  Ｍｅｍｏｒｙ）１０２やＲＡＭ（Ｒａｎｄｏｍ  Ａｃｃｅｓｓ  Ｍｅｍｏｒｙ）１０３等に接続されている。このＣＰＵ１０１は、ＲＯＭ１０２に格納されている各種制御プログラムを読み出してＲＡＭ１０３に展開し、各部の動作を制御する。また、ＣＰＵ１０１は、ＲＡＭ１０３に展開したプログラムに従って各種処理を実行し、その処理結果をＲＡＭ１０３に格納する。そして、ＲＡＭ１０３に格納した処理結果を所定の保存先に保存させる。
【００３２】
操作設定部１０４では、例えば中綴じ処理や中折り処理により冊子を作製するジョブがユーザーによって設定される。画像読取部１によって生成された画像データや、画像形成装置Ａに接続されたＰＣから送信される画像データは画像処理部２によって画像処理される。画像形成部４は、画像処理部２によって画像処理された画像データを受け取り、シートＳ１上に画像を形成する。
【００３３】
製本装置ＢにおけるＣＰＵ３０１はＲＯＭ３０２及びＲＡＭ３０３と協働して製本装置Ｂ全体の動作を制御するものであり、画像形成装置Ａから送信される信号を基づき所定のタイミングで冊子を作製する処理を実行する。ＣＰＵ３０１はＲＯＭ３０２に格納されている各種制御プログラムを読み出してＲＡＭ３０３に展開し、折り処理部２３０、中綴じ処理部２４０、断裁部２５０等の各部の動作を制御する。なお、本実施形態において、ＣＰＵ３０１が、ＲＯＭ３０２やＲＡＭ３０３と協働して動作することにより、制御部として機能する。
【００３４】
〈分冊処理〉次に、冊子１部を分冊して出力する動作について説明する。
【００３５】
図２〜図８を用いて説明したように、製本装置Ｂにおいて、中綴じ処理や中折り処理された冊子が作製されるが、中綴じ処理や中折り処理は冊子１部として処理可能なシート枚数に制限があり、一定枚数以上のシート束に対して中綴じ処理等を行うことが出来ない。例えば、冊子１部として中綴じ処理等がされるシート枚数の上限が２０枚である場合、５０枚の冊子を一度に作製することは出来ない。この場合、製本装置Ｂでは、中綴じ処理等された１部２０枚の分冊冊子２部と、中綴じ処理等された１部１０枚の分冊冊子１部を出力するよう選択することが出来る。そのように出力することにより、中綴じ処理等がなされた分冊冊子をユーザーがオフラインで合冊することにより５０枚の冊子１部を取得することが出来る。この点を図１２を用いて詳しく説明する。
【００３６】
図１２（ａ）は中綴じ処理等された１部２０枚の分冊冊子を簡略に示す側面図であり、図１２（ｂ）は中綴じ処理等された１部１０枚の分冊冊子を簡略に示す側面図である。図１２の右側にシートＳの折り目ａを示し、また、分冊冊子の構成を分かりやすくするようにシートＳをずらして示す。図１２（ａ）で示される分冊冊子を２部と、図１２（ｂ）で示される分冊冊子を１部とを各分冊冊子の小口が揃うように重ね合わせることにより合冊し、５０枚の冊子１部を取得することが出来る。
【００３７】
しかし、図１２（ａ）で示される分冊冊子の小口部分Ｘと、図１２（ｂ）で示される分冊冊子の小口部分Ｙを断裁部２５０により異なる断裁量（図１２（ａ）では断裁量α、図１２（ｂ）では断裁量β）で断裁してしまうと、合冊して冊子１部とする際に小口が不揃いとなってしまい、冊子の出来映えは好ましくない。そこで、所望の冊子１部を分冊する場合、各々の分冊冊子の断裁量を同一にするよう製本装置Ｂにおいて制御される。当該制御動作について図９〜図１１のフローチャート図を用いて説明する。
【００３８】
図９〜図１１では、ネットワークを経由してＰＣから冊子を作製するジョブが製本システムに送信され、分冊冊子の出力が選択されているジョブに対して分冊処理を実行する動作を示す。
【００３９】
〈ＰＣからのジョブ設定動作〉図９はユーザーが冊子を作製するジョブをＰＣ上で設定する動作を示すフローチャート図である。中綴じ処理又は中折り処理された冊子を作製するジョブを製本システムに実行させたい場合、ユーザーはＰＣの画面上で製本システムに関するドライバのアプリケーションを起動し、冊子作製の設定画面を選択する（ステップＳ１）。
【００４０】
ユーザーは出力したい冊子１部あたりに含まれるシート枚数を把握していない場合があり得る。そこで冊子作製の設定画面において、出力したい冊子１部あたりに含まれるシート枚数が、製本装置Ｂにおいて処理できる上限のシート枚数を越える場合、分冊して出力することを希望するか否かユーザーによって選択される。その選択結果はジョブの属性情報として記憶される。
【００４１】
ユーザーによる選択結果に基づきステップＳ２では分冊して出力可能か否か判断し、分冊して出力することをユーザーが希望する場合は（ステップＳ２；Ｙｅｓ）、分冊可として冊子作製のジョブ設定を完了し（ステップＳ３）、分冊して出力することを希望しない場合は（ステップＳ２；Ｎｏ）、分冊不可として冊子作製のジョブ設定を完了する（ステップＳ４）。
【００４２】
そしてユーザーによって設定画面におけるＯＫ釦を押されると、ＰＣから製本システム内の画像形成装置Ａへ冊子作製のジョブが送信される（ステップＳ５）。ジョブを受信した画像形成装置Ａ及び製本装置Ｂでは、ジョブの属性情報に基づき分冊処理等の適切な動作を実行する。
【００４３】
〈画像形成装置における画像データ保存動作〉次に冊子作製のジョブを受信した画像形成装置Ａにおける画像データの保存動作について説明する。図１０は画像形成装置Ａにおける画像データの保存動作を示すフローチャート図である。
【００４４】
まず、ＰＣから送信された冊子作製のジョブを受信し（ステップＳ１１）、受信したジョブの属性情報を所定のプログラムに基づき解析する。この解析は製本システムがジョブの設定通りに冊子を作製することが出来るか否かを判断するために実行される。
【００４５】
そしてジョブの属性情報に基づき、出力しようとする冊子１部に含まれるシート枚数が、中綴じ処理又は中折り処理できる上限のシート枚数より多いか否か判断する（ステップＳ１２）。冊子１部に含まれるシート枚数が上限のシート枚数以下である場合は（ステップＳ１２；Ｎｏ）、ジョブの設定通りに冊子を作製することが出来るため、画像形成装置Ａにおいて画像を出力するために、ページ単位に画像データをＲＡＭ１０３に保存する動作を開始する（ステップＳ１５）。一方、冊子１部に含まれるシート枚数が上限のシート枚数より多い場合は（ステップＳ１２；Ｙｅｓ）、ジョブの設定通りの冊子を作製することが出来ないため、ジョブの属性情報に基づき冊子１部を分冊して出力可能であるか否か判断する（ステップＳ１３）。ユーザーの選択により冊子１部を分冊して出力可能である場合は（ステップＳ１３；Ｙｅｓ）、ページ単位に画像データをＲＡＭ１０３に保存する動作を開始し（ステップＳ１５）、冊子１部を分冊して出力できない場合は（ステップＳ１３；Ｎｏ）、冊子を作製出来ないという出力不可情報をジョブを送信したＰＣへ送信し（ステップＳ１４）、その旨をユーザーに知らせる。
【００４６】
画像形成装置Ａにおいて画像データをシート上に出力するため、ステップＳ１５ではＲＡＭ１０３に一旦画像データを保存するわけであるが、分冊冊子を出力する場合とそうでない場合で画像データ各頁のヘッダ部分に記憶されるページ情報が異なってくる。このページ情報を異ならせる動作がステップＳ１６〜Ｓ１９において実行される。
【００４７】
ＲＡＭ１０３に保存される際に画像データ１頁ずつ、ジョブの属性情報に基づいて解析し、まずＲＡＭ１０３に保存しようとする画像データが冊子１部の区切りのページに該当するか否か判断する（ステップＳ１６）。区切りのページとは作製しようとする冊子（分冊冊子も含む）１部の最終頁であり、この区切りのページに該当する画像データに基づいて画像形成装置Ａがシートに画像を形成する際に、製本装置Ｂにおける断裁量が決定される。
【００４８】
冊子１部の区切りのページに該当する場合は（ステップＳ１６；Ｙｅｓ）、区切り情報をページ情報として付加し（ステップＳ１７）、次にその区切りのページとなる画像データが断裁量解除のページに該当するか否か判断される（ステップＳ１８）。前述したように区切りのページをトリガーとして製本装置Ｂにおける断裁量を決定するわけであるが、冊子１部を分冊する場合は断裁量を一定値に固定するため、分冊冊子を出力した後で断裁量の固定を解除する必要がある。そこで、分冊冊子の最終部における最終頁を断裁量解除のページとし、この断裁量解除のページに該当するシートが製本装置Ｂにおいて処理された後に、製本装置Ｂにおける断裁量の固定を解除するようにする。
【００４９】
ステップＳ１７において断裁量解除のページに該当する場合は、断裁量解除情報をページ情報として付加し（ステップＳ１９）、ヘッダに必要なページ情報を付加して、１頁毎に画像データを保存する（ステップＳ２０、Ｓ２１）。
【００５０】
図１０に示した一連の動作が完了すると、ＲＡＭ１０３に記憶されている画像データの順に画像形成装置Ａにおける画像形成動作を開始する。そして、画像形成装置Ａにより画像が形成されたシートは製本装置Ｂに搬送され、中綴じ処理、中折り処理、断裁処理等されて冊子が作製される。
【００５１】
〈断裁処理にける断裁量調整〉次に製本装置Ｂにおいて断裁量を調整する動作について説明する。図１１は製本装置Ｂにおいて断裁量を調整する動作を示すフローチャート図である。なお、図１１における動作は、ＣＰＵ３０１が所定のプログラムに基づいて動作することにより実行される。
【００５２】
まず、製本装置Ｂにおいて冊子を作製する動作を開始する際に、分冊冊子を出力するか否か判断する（ステップＳ３１）。分冊冊子を出力する場合は（ステップＳ３１；Ｙｅｓ）、分冊する冊子をすべて同じ断裁量で断裁するために、固定断裁量をバッファにセットする（ステップＳ３２）。固定断裁量が予め決められた値であり、ＲＯＭ１０２に記憶されている。一方、分冊冊子を出力しない場合は（ステップ３１；Ｎｏ）は、出力する冊子のシート枚数に応じた断裁量を算出し、バッファにセットする（ステップＳ３３）。例えば、冊子のシート枚数と断裁量の関係が規定されたデータテーブルがＲＯＭ１０２に記憶されており、そのデータテーブルを参照して断裁量を算出する。
【００５３】
そしてバッファにセットされた断裁量に基づいて中綴じ処理又は中折り処理されたシート束を断裁部２５０において断裁する（ステップＳ３４）。断裁処理が完了すると、画像データのヘッダ部分に記憶されているページ情報に基づき、断裁量解除情報があるか無いかを判断し（ステップＳ３５）、断裁量解除情報が有る場合は同一の断裁量で断裁する動作を解除するため、固定断裁量を解除する。なお、ステップＳ３６における固定断裁量を解除は、一連の冊子作製動作を一時停止し、ＰＣや操作設定部１０４を通じてユーザが特定の操作を行った場合に解除するようにしたり、分冊冊子を出力する動作を開始してから所定時間経過後に解除したりすることも考えられる。このような動作により固定された断裁量を解除するようにすれば、簡素な制御動作とすることが出来る。
【００５４】
以上図９〜図１１を用いて説明したように、分冊冊子を出力する場合に各分冊冊子に対して同一の断裁量で断裁すれば、分冊冊子を合冊した冊子の小口を揃えることができ、冊子としての出来映えが良好となる。
【００５５】
なお、本発明は当該実施の形態に限定されるものではなく、本発明の要旨を逸脱しない範囲における変更や追加があっても本発明に含まれる。
【００５６】
図９〜図１１では、ネットワークを経由してＰＣから製本システムに送信されるジョブに関して説明したが、自動原稿送り装置ＤＦを利用して原稿ｄを読み取り、操作設定部１０４により設定して冊子を作製するジョブでも同様に同一の断裁量で断裁する動作が考えられる。
【００５７】
また、本実施形態では、ユーザーが希望する冊子１部に含まれるシート枚数が中綴じ処理等の可能なシート枚数より多い場合、出力したい冊子１部を複数部に分冊する動作を説明したが、製本装置Ｂの処理能力に関係なく、ユーザーが希望して分冊冊子を複数部出力する場合に、各分冊冊子に対して同一の断裁量で断裁する形態も考えられる。
【００５８】
また、本実施形態では、ＣＰＵ３０１が、ＲＯＭ３０２やＲＡＭ３０３と協働して動作することにより制御部として機能しているが、画像形成装置ＡのＣＰＵ１０１がＲＯＭ１０２及びＲＡＭ１０３と協働することにより制御部として機能しても良い。
【００５９】
また、図１で示す製本システムは画像形成装置Ａと製本装置Ｂが接続されている態様であるが、例えば画像形成装置Ａと製本装置Ｂが一体的となり、一つの装置の形態となっている製本システムであっても同様の効果を有する。
【図面の簡単な説明】
【００６０】
【図１】画像形成装置、自動原稿送り装置、製本装置、大容量給紙装置から構成される製本システムの全体構成図である。
【図２】製本装置の正面図である。
【図３】製本装置の右側面図である。
【図４】製本装置の左側面図である。
【図５】製本装置の平面図である。
【図６】製本装置のシート搬送工程を示す模式図である。
【図７】製本装置の中折り、中綴じ処理工程のシート搬送を示す斜視図である。
【図８】製本システムにおける制御系のブロック図である。
【図９】ユーザーが冊子を作製するジョブをＰＣ上で設定する動作を示すフローチャート図である。
【図１０】画像形成装置における画像データの保存動作を示すフローチャート図である。
【図１１】製本装置において断裁量を調整する動作を示すフローチャート図である。
【図１２】分冊冊子を簡略に示す側面図である。
【符号の説明】
【００６１】
Ａ  画像形成装置
Ｂ  製本装置
１０１、３０１  ＣＰＵ
１０２、３０２  ＲＯＭ
１０３、３０３  ＲＡＭ
２３０  折り処理部
２４０  中綴じ処理部
２５０  断裁部
【図１】
2009179428.tif 000003
【図２】
2009179428.tif 000004
【図３】
2009179428.tif 000005
【図４】
2009179428.tif 000006
【図５】
2009179428.tif 000007
【図６】
2009179428.tif 000008
【図７】
2009179428.tif 000009
【図８】
2009179428.tif 000010
【図９】
2009179428.tif 000011
【図１０】
2009179428.tif 000012
【図１１】
2009179428.tif 000013
【図１２】
2009179428.tif 000014